(57)【特許請求の範囲】
【請求項１】
耳垢を外耳道の皮膚上で捕集する先端部と前記耳垢を吸引移送する耳垢捕集管と前記耳垢捕集管で吸引された前記耳垢を捕獲するための機構を含む捕集装置とを有する人体生理保守装置であって、
空気を送風する空気送風管を前記耳垢捕集管の内部に備えることを特徴とする人体生理保守装置。
【請求項２】
前記空気送風管は、内部の空間に向かって突き出た多数の突起物を有し多数の前記突起物は各突起物および前記各突起物の間の空気から成る複合表面を構成することを特徴とする請求項１記載の人体生理保守装置。
【請求項３】
前記空気送風管は、多数の前記突起物の各々の間に設けた穴を多数有し、前記穴の各々は送風された空気を排出することを特徴とする請求項２記載の人体生理保守装置。
【請求項４】
前記空気送風管の多数の前記穴から排出する空気は多数の前記突起物に付着した耳垢に向かって排出し、前記空気は耳垢を前記突起物から剥離するように押し上げ、剥離した前記耳垢は耳垢捕集管の外部から内部の方向に向かって流れる空気と合流し収集装置に向かって移送されることを特徴とする請求項３記載の人体生理保守装置。
【請求項５】
多数の前記突起物と多数の前記穴からなる構成を、前記空気送風管の先端部の内部の所定の範囲に設けることを特徴とする請求項３記載の人体生理保守装置。
【請求項６】
前記空気送風管は、臨界表面張力の小さい物質で製造することを特徴とする請求項１記載の人体生理保守装置。
【請求項７】
前記空気送風管は、内側の表面を臨界表面張力の小さい物質で薄膜のコーティングを施すことを特徴とする請求項１記載の人体生理保守装置。
【請求項８】
耳垢を外耳道の皮膚上で捕集する先端部と前記耳垢を吸引移送する耳垢捕集管と前記耳垢捕集管で吸引された前記耳垢を捕獲するための機構を含む捕集装置とを有する人体生理保守装置であって、
外耳道に接する先端部の開口端の端部の表面と、外側及び内側表面の所定の範囲とを臨界表面張力の小さい物質で薄膜のコーティングを施すことによって前記耳垢捕集管に耳垢が容易に付着しないことを特徴とする人体生理保守装置。
【請求項９】
耳垢を外耳道の皮膚上で捕集する先端部と前記耳垢を吸引移送する耳垢捕集管と前記耳垢捕集管で吸引された前記耳垢を捕獲するための機構を含む捕集装置とを有する人体生理保守装置であって、
前記先端部に向かって流れる空気を送風する空気送風路を前記耳垢捕集管の内部に有し、前記先端部は多数の突起物を有して多数の前記突起物の各々の間に設けた穴を多数有する掻集捕集面を含み、前記穴の各々は送風された空気を排出することを特徴とする人体生理保守装置。
【請求項１０】
前記掻集捕集面は多数の前記穴から流れる空気によって前記突起物の上に乗った耳垢の塊を押し上げ前記掻集捕集面から剥離し押し上げられた耳垢は吸入路へ吸入されることを特徴とする請求項９記載の人体生理保守装置。
【請求項１１】
耳垢を外耳道の皮膚上で捕集する先端部と前記耳垢を吸引移送する耳垢捕集管と前記耳垢捕集管で吸引された前記耳垢を捕獲するための機構を含む捕集装置とを有する人体生理保守装置であって、
前記耳垢捕集管を覆う移動管を更に有し、前記移動管を前記先端部を覆う位置まで移動する操作を実行することによって、外部の空気は前記移動管に設けた穴を介して前記先端部の掻集捕集面の付近を通って吸入路の中へ流れ、前記掻集捕集面に付着した耳垢は送風路から供給される空気によって押し上げられると共に前記穴から前記吸入路に向かって流れる吸入空気によって吸い上げられ前記掻集捕集面から剥離することを特徴とする人体生理保守装置。
【請求項１２】
耳垢を外耳道の皮膚上で捕集する先端部と前記耳垢を吸引移送する耳垢捕集管と前記耳垢捕集管で吸引された前記耳垢を捕獲するための機構を含む捕集装置とを有する人体生理保守装置であって、
前記耳垢捕集管を覆う移動管を更に有し、前記移動管は掬上弾性板を有し、前記移動管を前記先端部に向かって移動することによって外部の空気を前記移動管に設けた穴を介して前記先端部の掻集捕集面の付近を通って吸入路の中へ流す第１の過程と、前記移動管を前記先端部に向かってさらに移動することによって前記掬上弾性板の先端は前記掻集捕集面に突き当たり、前記移動管を前記先端部に向かってさらに移動することによって前記掻集捕集面に付着した耳垢は剥離する第２の過程と、剥離した耳垢の塊は吸入路より吸入される過程とを有することを特徴とする人体生理保守装置。
【請求項１３】
前記移動管は前記耳垢捕集管に固定した固定管を滑動する滑動管と連結し、前記第１の過程及び前記第２の過程は前記滑動管の移動距離制御に基づくことを特徴とする請求項１２記載の人体生理保守装置。
【発明の詳細な説明】
【０００１】
【発明の属する技術分野】
この発明は、人体の生理に伴なう老廃物の除去及び栄養物補給を容易に効率よく操作実行できる携帯可能な装置に関する。
【０００２】
【従来の技術】
アリストテレス著「動物発生論」によれば、ギリシアの昔、アリストテレスは「人は、聴覚の感覚器の皮膚の垢を取り除き感覚器をきれいにするとき、あらゆる動物のなかで感覚対象の相違の判別を最も敏感に感じ取る」と述べている。耳垢を除去することは、人が外界との音の情報をやり取りする機能を向上させるために必要なことである。
【０００３】
耳垢もしくは耳糞は、外耳道の皮膚にある皮脂腺と耳垢腺からの分泌物や皮膚から剥脱した上皮や塵埃などが混合することによって生じる。耳垢の種類は、乾燥した淡黄色の乾性型と湿潤性で黄褐色の湿性型とに大別できる。両者は遺伝する。両者の割合は、日本人では５：１で乾性型が多いのに対し、欧米人では逆に１：９で圧倒的に湿性型が多い。また、耳垢の量は、皮脂腺と耳垢腺が通常の人よりも多く発達しているため分泌物が多い飴耳もしくは猫耳と呼ばれる耳垢の量が多い人と分泌物が少なく耳垢の量が少ない人に大別できる。
【０００４】
耳垢は耳の入り口から１センチメートル前後の範囲に存在する。ところが、何らかの原因でこれより奥に入り込むと、難聴や耳痛を引き起こす。1日にたまる耳垢の量は、耳垢の性質や生活環境によってかなり変化する。また、耳垢が大量にたまると外耳道をほとんど閉塞し耳垢栓塞となる。耳垢栓塞は自覚症状がない場合が多いので耳垢がたくさんたまったままの人は多い。耳垢栓塞の人が水泳もしくは洗髪等を行うと、水が外耳道に入り耳垢がふやけ外耳道は完全にふさがる。ついで、急に難聴や耳閉塞感あるいは耳鳴りがおこる。さらに、めまいがおこることもある。従って。季節に関係なく心がけて耳垢をためないようにこまめに耳掃除をすることは人間の大切な行為である。また、耳垢がたくさんたまっている人は、耳垢を取ろうとして耳垢をこぼして奥に入れ込んでしまう状況も多いので注意深い耳垢捕集操作が必要である。耳垢をこぼすことなく取り除くことによって耳をきれいに保つことは、人体の生理を良好にし機能を向上させるために大切な人間の行為である。
【０００５】
米国特許第４，４１１，２６５号は、水のような流体を注入するキュレットを耳にあてることによって耳垢を除去する装置を開示している。この耳垢除去装置は、水のような流体を注入する方法であって空気の流れを利用する方法ではない。米国特許第４，１０６，４９６号は、空気の流れを耳に当てる装置を開示しているが、耳垢を除去するための装置ではない。
【０００６】
耳垢がたくさんたまっている人が耳垢を取ろうとして耳垢がこぼれて奥に入ってしまったという状況は多い。水のような流体を用いることなく耳垢をこぼさず除去し、人体の生理に伴なう老廃物の除去及び栄養物補給を容易に効率よく操作実行できる携帯可能な装置が望まれている。
【０００７】
【発明が解決しようとする課題】
そこで、本発明は、人体の生理に伴なう老廃物の除去及び栄養物補給を容易に効率よく操作できる装置を提供することを目的としている。
【０００８】
【課題を解決するための手段】
上記目的を達成するために、本発明の捕集装置、耳垢捕集管、攪拌ヘッド等から構成するものである。
【０００９】
９０°乃至１８０°の範囲で所定の角度だけ長手方向に対して傾斜する形状で耳垢を外耳道の皮膚上で吸引捕集する先端部を有し吸引捕集した耳垢を吸引移送する耳垢捕集管を備える。空気を送風する空気送風管を耳垢捕集管の内部に更に備える。空気送風管は、内部の空間に向かって突き出た多数の突起物を有し多数の突起物は各突起物および各突起物の間の空気から成る複合表面を構成する。空気送風管は、多数の突起物の各々の間に設けた各穴を多数有し、穴の各々は送風された空気を排出する。空気送風管の多数の穴から排出する空気は多数の突起物に付着した耳垢に向かって排出し、空気は耳垢を突起物から剥離するように押し上げ、剥離した耳垢は耳垢捕集管の外部から内部の方向に向かって流れる空気と合流し収集装置に向かって移送される。多数の突起物と多数の穴からなる構成を、空気送風管の先端部の内部の所定の範囲に設ける。空気送風管は、臨界表面張力の小さい物質で製造する。空気送風管は、内側の表面を臨界表面張力の小さい物質で薄膜のコーティングを施す。外耳道に接する耳垢捕集管の開口端の端部の表面と耳垢捕集管の先端部の外側及び内側表面の所定の範囲を臨界表面張力の小さい物質で薄膜のコーティングを施すことによって耳垢捕集管に耳垢が容易に付着しない。耳垢捕集管の断面は円形状、楕円形状、多角形状、その他の任意の形状である。
【００１０】
耳垢を外耳道の皮膚上で掻き集める掻集先端部と、耳垢を吸引捕集する耳垢捕集管とを備える。掻集先端部は、多数の突起物を有し各突起物と各突起物との間に存在する空気と多数の突起物とから成る複合表面を構成する。掻集先端部に向かって流れる空気を送風する空気送風路を耳垢捕集管の内部に有する。掻集先端部は多数の突起物の各々の間に設けた各穴を多数有し、穴の各々は送風された空気を排出する。掻集捕集面は多数の穴から流れる空気によって突起物の上に乗った耳垢の塊を押し上げ掻集捕集面から剥離し押し上げられた耳垢は吸入路へ吸入される。耳垢捕集管は耳垢捕集管を覆う移動管を更に有する。移動管を掻集先端部を覆う位置まで移動する操作を実行することによって、外部の空気は移動管に設けた穴を介して掻集捕集面の付近を通って吸入路の中へ流れる。掻集捕集面に付着した耳垢は送風路から供給される空気によって押し上げられると供に穴から吸入路に向かって流れる吸入空気によって吸い上げられ掻集捕集面から剥離する。移動管は掬上弾性板を有する。移動管を掻集先端部に向かって移動することによって外部の空気を移動管に設けた穴を介して掻集捕集面の付近を通って吸入路の中へ流す第１の過程と、移動管を掻集先端部に向かってさらに移動することによって掬上弾性板の先端は耳垢の塊が付着している掻集捕集面に突き当たり、移動管を掻集先端部に向かってさらに移動することによって耳垢は掻集捕集面から剥離する第２の過程と、剥離した耳垢の塊は、吸入路より吸入される過程とを有する。移動管は耳垢捕集管に固定した固定管を滑動する滑動管と連結し、第１の過程及び第２の過程は滑動管の移動距離制御に基づく。耳垢捕集管の断面は円形状、楕円形状、多角形状、その他の任意の形状である。
【００１１】
回転する駆動軸を有する駆動部と、駆動軸に固定するファン車と、耳垢捕集管で吸引された利用者の耳垢を捕獲するフィルタと、駆動部に供給する電源部と、駆動部に供給する電圧を制御する制御回路と、駆動部、ファン車、電源部、そして制御回路等を収容するハウジングと、ハウジングと着脱可能に接続するキャップ等で捕集装置を構成する。捕集装置の駆動軸と回転自在に接続する回転軸と、各々の先端部を連結しない複数の攪拌棒と、攪拌棒を固定する固定部と、捕集装置と着脱可能に接続するキャップ等で構成する攪拌ヘッドを更に備える。
【００１２】
【作用】
上記のように構成された人体生理保守装置は、空気送風管の多数の穴から排出する空気が多数の突起物に付着した耳垢に向かって排出し、空気は耳垢を突起物から剥離するように押し上げ、剥離した耳垢を耳垢捕集管の外部から内部の方向に向かって流れる空気と合流させ収集装置に向かって移送することができる。
【００１３】
上記のように構成された人体生理保守装置は、移動管を掻集先端部を覆う位置まで移動する操作を実行することによって、外部の空気を移動管に設けた穴を介して掻集捕集面の付近を通って吸入路の中へ流し、掻集捕集面に付着した耳垢を送風路から供給される空気によって押し上げ、穴から吸入路に向かって流れる吸入空気によって耳垢を吸い上げ、掻集捕集面から剥離することができる。
【００１４】
上記のように構成された人体生理保守装置は、移動管を掻集先端部に向かって移動することによって外部の空気を移動管に設けた穴を介して掻集捕集面の付近を通って吸入路の中へ流し、移動管を掻集先端部に向かってさらに移動することによって掬上弾性板の先端は耳垢の塊が付着している掻集捕集面に突き当たり、移動管を掻集先端部に向かってさらに移動することによって耳垢を掻集捕集面から剥離させ、剥離した耳垢の塊を、吸入路より吸入されることができる。
【００１５】
【実施例】
本発明をより詳細に説術するために、添付の図面に従ってこれを説明する。
【００１６】
図１は、本発明の人体生理保守装置の第１の実施例を示す。本発明の第１の実施例の人体生理保守装置は、吸引型の耳垢捕集の機能を提供する。第１の実施例の人体生理保守装置は、耳垢捕集管１０、押下スイッチ１２、握り部１４、連結管１６、キャップ１８、捕集装置２０、そしてノブ２２で構成する。耳垢捕集管１０は、人体の生理作用で生ずる耳垢を捕集する。捕集された耳垢は、中空の連結管１６の中を移動し、捕集装置２０の内部に収集される。耳垢捕集管１０の構造に応じて、連結管１６は空気の吸入路及び供給路を連結管１６の内部に備えるかもしくは空気の吸入路のみを連結管１６の内部に備える。ノブ２２は、人体の生理作用によって生ずる耳垢を捕集する強度を調整するための調整つまみである。
【００１７】
図２は、本発明の第１の実施例の人体生理保守装置のうち耳垢捕集管の第１の実施例の構造を示す断面図である。本発明の耳垢捕集管の第１の実施例は、吸引型の耳垢捕集の機能を実行する。図２（A）は、耳垢捕集管１０の先端部Ｈが耳垢捕集管１０の長手方向に対して所定の角度Θ（９０°＞Θ＞１８０°）だけ傾いた状態を示す。耳垢捕集管１０は、耳掻操作を実行しても不都合を生じない程度の硬さを有する材質の材料で製造された管である。耳垢捕集管１０の１−１線断面は、図示しないがどのような形状であってもよい。例えば、円形状もしくは楕円形状であっても良いしあるいは多角形状であっても良い。耳垢捕集管１０は、臨界表面張力の小さい物質で製造することが望ましい。そうでない場合、耳垢捕集管１０を耳掻操作を実行しても不都合を生じない程度の硬さを有する例えばプラスチック材、アルミニウム材、その他の材質の材料で製造し、耳垢捕集管１０の内側表面は、例えば、ポリテトラフルオロエチレン（PTFE）等の臨界表面張力の小さい物質で内面全体を一様に薄膜２４のコーティングを施してもよい。例えば乾燥した耳垢等の耳垢の性質に応じて、薄膜２４のコーティングを施さず例えばアルミニウム材で耳垢捕集管１０を製造して十分に耳垢の吸引捕集能力を発揮する場合は薄膜２４のコーティングは必要ない。あるいは、収集装置の吸引能力に応じて、薄膜２４のコーティングを施さず耳垢捕集管１０を製造して十分に耳垢の吸引捕集能力を発揮する場合も同様に薄膜２４のコーティングは必要ない。しかし、吸引能力が強力である場合、耳垢を外耳道の皮膚上で吸引捕集する刺激音が強烈であるため痛みを感じる。従って、吸引能力は極端に強力でないことが望ましい。
【００１８】
耳垢捕集管１０の先端部Ｈの開口端２６は、耳垢捕集管１０の長手方向と平行な端面を有する実施例を図示したが、これに限らず自由に設定することにより利用者の耳の構造に最適化してよい。薄膜２４は、先端部Ｈの開口端２６の外耳道に接する端部と耳垢捕集管１０の先端部Ｈの所定の範囲の外側及び内側表面を一様に薄膜２４のコーティングを施しても良い。さらに、本明細書の以下に説明するように多数の突起物を耳垢捕集管１０の全体もしくは先端部Ｈの内側に設け、多数の突起物の各々と空気からなる複合表面を形成することによって耳垢が耳垢捕集管１０の内側に容易に付着しない構造にしてもよい。また、耳垢捕集管１０が臨界表面張力の小さい物質であれば、臨界表面張力の最も小さい物質による耳垢捕集管１０の内外の薄膜のコーティングは開口端２６の付近、例えば２ミリメートル前後程度の範囲のみでも耳垢捕集の機能を実行する。図示しないが、耳垢捕集管１０の周囲に直径数十ミクロンメートルの光ファイバーを一本以上張り付けることによって外耳道を照らす適度な照度を得ることができる。耳垢捕集管１０の口径は、利用者の外耳道の形状及び口径の大きさに従って、例えば、３ミリメートルもしくはそれ以外の大きさに自由に設定して良い。
【００１９】
図２（Ｂ）は、本発明の耳垢捕集管の第１の実施例の他の構造を示す断面図である。図２（Ａ）と図２（Ｂ）との違いは角度Θが９０°である点である。他の説明は、図２（Ａ）と同様である。
【００２０】
図３は、本発明の第１の実施例の人体生理保守装置のうち耳垢捕集管の第２の実施例を説明する断面図である。本発明の耳垢捕集管の第２の実施例は、吸引型の耳垢捕集の機能を実行する。図３（Ａ）は、耳垢捕集管の第２の実施例の構成を説明する断面図である。図３（Ｂ）は、図３（Ａ）の２−２線断面図である。図３（C）は、図３（A）のA部分を拡大した図である。図３（D）は、A部分において耳垢捕集管１０の先端部Ｈの内部の管３６の突起物４４上に耳垢４２が付着した状態を示す。
【００２１】
図３（Ａ）に示すように、耳垢捕集管１０の内部は、空気送風管１１を有する。耳垢捕集管１０と空気送風管１１との間は、複数の支柱２９が支えることより一様な空間２７が存在し、送風された空気２８が先端部Ｈに向かって流れる。耳垢捕集管１０の先端部Ｈの内部の管３６は、空気送風管１１の先端部であり空気送風管１１と連結している。耳垢捕集管１０の先端部Ｈの内部の管３６は、耳垢捕集管１０の外部から内部の方向に空気３０が流れる空間３１に向かって突き出た多数の突起物と送風された空気２８を排出する多数の穴とを先端部Ｈの内部の管３６の全体に設ける。捕集装置２０が送風した空気２８は、多数の穴を通過して空気３０と合流して捕集装置２０へ流れる空気３２を生じる。耳垢捕集管１０の空気送風管１１は、臨界表面張力の小さい物質で製造することが望ましい。そうでない場合、耳垢捕集管１０を耳掻操作を実行しても不都合を生じない程度の硬さを有する例えばプラスチック材、アルミニウム材、その他の材質の材料で製造し、空気送風管１１の内側表面は、例えば、ポリテトラフルオロエチレン（ＰＴＦＥ）等の臨界表面張力の小さい物質で内面全体を一様に薄膜９のコーティングを施す。先端部Ｈの開口端は、耳垢捕集管１０の長手方向と平行な端面を有する実施例を図示したが、これに限らず自由に設定することにより利用者の耳の構造に適合するように最適化してよい。既に第１の実施例で説明したように、耳垢捕集管１０の先端部Ｈの開口端の外耳道に接する端部と耳垢捕集管１０の先端部Ｈの所定の範囲の外面全体を一様にポリテトラフルオロエチレン（ＰＴＦＥ）等の臨界表面張力の小さい物質で薄膜のコーティングを施すことによって薄膜上に耳垢が容易に付着しないようにしてもよい。
【００２２】
図３（Ｂ）に示すように、本実施例では耳垢捕集管１０及び耳垢捕集管１０の先端部Ｈの断面形状が円形であることを示したが、任意の形状、例えば楕円形状であっても良いしまたは多角形状であっても良い。耳垢捕集管１０と先端部Ｈのそれぞれの断面形状を異なる形状にしてもよい。
【００２３】
図３（C）に示すように、A部分は耳垢捕集管１０の先端部Ｈの内部の管３６が有する多数の突起物４４と送風された空気を排出する多数の穴４０との関係を説明する図である。送風機から耳垢捕集管１０の先端部Ｈに向かって送風された空気２８の一部は、空間３１に向かう空気３４として多数の穴４０を通じて流れる。穴４０を通じて流れる空気３４は、耳垢捕集管１０の外部から内部の方向に向かって流れる空気３０と合流し、さらに収集装置に向かって流れる。先端部Ｈの内部の管３６は、臨界表面張力の小さい物質で製造することが望ましい。そうでない場合、図示するように、例えばポリテトラフルオロエチレン（PTFE）等の臨界表面張力の小さい物質で管３６の内側表面の全体を一様に薄膜３８のコーティングを施す。あるいは、図示しないが、多数の突起物４４の各々の先端部のみあるいは先端部及びその周辺部分も含めた耳垢が接する部分のみに限定して例えばポリテトラフルオロエチレン（PTFE）等の臨界表面張力の小さい物質で薄膜のコーティングを施してもよい。また、多数の突起物４４と送風された空気を排出する多数の穴４０からなる構成は、先端部Ｈのみに限定することなく内部の管全体にわたって設けてもよい。
【００２４】
図３（D）に示すように、管３６から耳垢４２に向かって流れる空気３４によって、耳垢４２は付着した突起物４４から空間３１に向かって押し上げられる。押し上げられた耳垢４２は、耳垢捕集管１０の外部から内部の方向に向かって流れる空気３０と合流し収集装置に向かって移送される。
【００２５】
図４は、第１の実施例の人体生理保守装置のうち耳垢捕集管の第２の実施例の先端部の内部の管の多数の突起物と多数の穴の構成と作用を説明する図である。図４（A）は、耳垢捕集管１０の先端部Ｈの内部の管３６を空間３１から多数の突起物４４に向かって見た状態を示す。図４（B）は、耳垢４２が多数の突起物４４上に付着した状態において突起物４４及び空気３４の耳垢４２に対する作用を説明する図である。
【００２６】
図４（A）に示すように、管３６は、空間３１に向かって突き出た多数の突起物４４と送風された空気を排出する多数の穴４０とを有する。突起物４４及び穴４０の形状は、円形状、多角形状、その他の任意の形状であってよい。
【００２７】
図４（Ｂ）に示すように、耳垢４２の塊が多数の突起物４４の先端表面上に存在する場合、突起物４４の先端表面と耳垢４２との間には突起物４４の先端表面上の表面張力γｓ、耳垢４２の表面張力γw、そして突起物４４の先端表面／耳垢４２の界面張力γsWが働く。突起物４４の先端表面上の表面張力γs、耳垢４２の表面張力γw、突起物４４の先端表面／耳垢４２の界面張力γsW、耳垢４２の突起物４４の先端表面への接触角（耳垢４２の表面張力γwと突起物４４の先端表面／耳垢４２の界面張力γsWとの間のなす角）θ１（度）、そして耳垢４２が突起物４４の先端表面に付着することによる仕事量Ｗｓとの間には、次式が成立する。
Ｗｓ＝γｓ＋γW−γsW
γｓ＝γsW ＋γWＣＯＳθ１
従って、
Ｗｓ＝γW（１＋ＣＯＳθ１）
となる。また、突起物４４の先端の表面占有率ε１、耳垢４２が接する空気の表面占有率ε２、耳垢４２の突起物４４の先端表面への接触角θ１（度）、そして耳垢４２が多数の突起物４４の間の空気と接する接触角θ２（度）との間には、次式が成立する。
ε１＋ε２＝１
ＣＯＳθ＝ε１ＣＯＳθ１＋ε２ＣＯＳθ２
【００２８】
ここで、突起物４４と突起物４４との間の空気に耳垢４２が充満することはないので、耳垢４２が多数の突起物４４の間の空気と接する接触角θ２は
θ２＝１８０°
となる。また、突起物４４はテフロン（登録商標）等の表面張力の極めて小さい物質で製造されているかもしくはテフロン（登録商標）等の表面張力の極めて小さい物質の薄膜で突起物４４の表面を覆っているので、
９０°＜θ１＜１８０°
となり、
ＣＯＳθ−ＣＯＳθ１＝ε１ＣＯＳθ１−ε２−ＣＯＳθ１
＝（ε１−１）（ＣＯＳθ１＋１）
＜０
となり、
ＣＯＳθ＜ＣＯＳθ１
となる。
【００２９】
耳垢４２の表面張力γw、複数の突起物４４の先端表面と耳垢４２が接する空気からなる複合表面との間の角度θ（度）、そして耳垢４２が複合表面に付着したことによる仕事量Ｗとの間には、次式が成立する。
Ｗ＝γW（１＋ＣＯＳθ）
従って、複合表面上の耳垢４２の仕事量Wと耳垢４２が接する空気を有しない突起物４４の先端表面だけからなる単一平滑表面、すなわち単一物質の平滑面上の耳垢４２の仕事量Wｓとの関係は、
Ｗ＜Ｗｓ
となる。つまり、複合表面上の耳垢４２の仕事量は、単一平滑表面、すなわち単一物質の平滑面上の耳垢４２の仕事量よりも小さい。従って、本発明の多数の突起物４４を設け多数の突起物４４の間に空気が存在することによって、複合表面上に乗った耳垢４２は、単一の平滑面上に乗った耳垢４２よりも容易に取り除かれる。従って、耳垢４２の塊は、管３６から容易に剥離する。さらに穴４０を通じて流れる空気３４によって押上力を受けるので、耳垢４２の塊は管３６からさらに容易に剥離する。
【００３０】
図５は、本発明の第１の実施例の人体生理保守装置のうち耳垢捕集管の第３の実施例を説明する図である。本発明の耳垢捕集管の第３の実施例は、掻集型の耳垢捕集の機能を実行する。図５（Ａ）は、第３の実施例の耳垢捕集管の斜視図である。図５（Ｂ）は、第３の実施例の耳垢捕集管の正面図である。図５（Ｃ）は、第３の実施例の耳垢捕集管の平面図である。図５（Ｄ）は、第３の実施例の耳垢捕集管の低面図である。図５（Ｅ）は、第３の実施例の耳垢捕集管の断面図である。第３の実施例の掻集型耳垢捕集管は、耳垢捕集管５０、掻集先端部５２、掻集捕集面５４、そして吸入口５６等で構成する。耳垢捕集管５０は、外部から供給される空気が通る空気送風路４９と吸入路５１とを形成するための板５５を内部に有する。掻集捕集面５４は、第２の実施例の耳垢捕集管で説明したように多数の突起物と空気を排出する多数の穴とを有する。いくつかの突起物の上に乗った耳垢の塊は、第２の実施例で説明した通り多数の突起物の各々と空気で構成される複合表面及び多数の穴から送風される空気の押上力によって掻集捕集面５４から剥離しやすくなるので、耳垢の塊は掻集捕集面５４から剥離し矢印で示すように吸入口５６へ吸入され、中空の連結管１６の中を移動し、捕集装置２０の内部に収集される。管５０を構成する各々の空気路の大きさは、例えば、空気及び耳垢の吸入路５１の内寸が約２ミリメートル、空気送風路４９の内寸が約０．６ミリメートルであって良い。しかし、この大きさに限定することなく利用者の体格および体質に応じて自由に設定して良いことは言うまでも無い。耳垢捕集管５０の３−３線断面の形状は、図示しないが円形状もしくは楕円形状であっても良いしまたは多角形状であっても良い。掻集捕集面５４が耳垢捕集管１０の長手方向に対してなす傾きは、利用者の体格および体質に応じて所定の角度だけ自由に設定して良いことは言うまでも無い。
【００３１】
図６は、本発明の第１の実施例の人体生理保守装置のうち耳垢捕集管の第４の実施例を説明する断面図である。本発明の耳垢捕集管の第４の実施例は、掻集型の耳垢捕集の機能を実行する。図６（Ａ）は、第４の実施例の耳垢捕集管の正面図である。図６（Ｂ）は、第４の実施例の耳垢捕集管の平面図である。図６（Ｃ）は、第４の実施例の耳垢捕集管の底面図である。図６（Ｄ）は、第４の実施例の耳垢捕集管の断面図である。図６（Ｅ）は、第４の実施例の耳垢捕集管の捕集操作を説明する図である。
【００３２】
図６（Ａ）乃至（C）に示すように、第４の実施例の掻集型耳垢捕集管は、掻集先端部６２、耳垢捕集管６０、捕集管を覆う移動管６４、掻集捕集面６６、そして吸入口６８等で構成する。
【００３３】
図６（D）に示すように、掻集捕集面６６は第２の実施例の掻集型耳垢捕集管で説明した多数の突起物と空気を排出する多数の穴とを有する。いくつかの突起物の上に乗った耳垢の塊は、第２の実施例の掻集型耳垢捕集管で説明した通り掻集捕集面６６から剥離しやすくなり、さらに多数の穴を通じて流れる空気によって突起物の上に乗った耳垢の塊は押上力を受けるので、耳垢の塊は掻集捕集面６６から剥離し矢印で示すように吸入口６８へ吸入され、中空の連結管１６の中を吸入空気によって移送され、捕集装置２０の内部に収集される。耳垢捕集管６０は、外部から供給される空気が通る送風路７０と吸入路７１とを形成するための板７２を内部に有する。耳垢捕集管を覆う移動管６４は、掻集先端部６２に向かって端部付近に穴７４を有する。穴７４の大きさは、例えば、吸入路７１の断面の面積とほほ同程度であっても良い。あるいは、送風路７０から供給される空気の量とを鑑み、吸入路７１から吸入される空気の速度及び量が最適となるように自由に設定して良い。耳垢捕集管６０及び耳垢捕集管を覆う移動管６４の４−４線断面の形状は、図示しないが任意の形状、例えば円形状もしくは楕円形状であっても良いしまたは多角形状であっても良い。
【００３４】
図６（Ｅ）で示すように、耳垢捕集管を覆う移動管６４が掻集先端部を覆う位置まで移動する操作を実行すれば外部の空気は矢印で示すように穴７４を介して掻集捕集面６６の付近を通って吸入路７１の中へ流れる。従って、掻集捕集面６６に付着した耳垢は、多数の突起物の各々と空気で構成される複合表面と送風路７０から供給される空気によって押し上げられる押上力と穴７４と吸入路７１より形成された吸入空気によって吸い上げられることによって剥離し易くなる。穴７４の大きさは、例えば吸入口６８とほぼ同じくらいもしくは吸入空気の流速に応じて適切に設定する。言い換えれば、穴７４の大きさは大きすぎると穴７４を通って掻集捕集面６６の付近を通過する空気の流れを生じない。本実施例は、耳垢捕集管を覆う移動管６４を有するので掻集先端部６２と吸入口６８との距離δを制限することなく自由に最適の長さに設定できる。耳垢捕集管６０を構成する各々の空気路の大きさは、例えば、空気及び耳垢の吸入路７１の内寸が約２ミリメートル、空気の送風路７０の内寸が約０．６ミリメートルであって良い。しかし、この大きさに限定することなく利用者の体格および体質に応じて自由に設定して良いことは言うまでも無い。掻集先端部６２の傾きは、利用者の体格および体質に応じて耳垢捕集管６０の長手方向に対して所定の角度だけ自由に設定して良いことは言うまでも無い。
【００３５】
図７は、本発明の第１の実施例の人体生理保守装置のうち耳垢捕集管の第５の実施例を説明する断面図である。本発明の耳垢捕集管の第５の実施例は、掻集型の耳垢捕集の機能を実行する。図７（Ａ）は、第５の実施例の耳垢捕集管の正面図である。図７（Ｂ）は、第５の実施例の耳垢捕集管の平面図である。図７（Ｃ）は、第５の実施例の耳垢捕集管の底面図である。図７（Ｄ）は、第５の実施例の耳垢捕集管の断面図である。図７（Ｅ）は、第５の実施例の耳垢捕集管の捕集操作を説明する図である。
【００３６】
図７（Ａ）乃至（D）に示すように、第５の実施例の掻集型耳垢捕集管は掻集先端部８２、耳垢捕集管８０、耳垢捕集管を覆う移動管８６、掻集捕集面８４、そして吸入口８８等で構成する。第４の実施例と第５の実施例との違いは、第４の実施例の掻集捕集面６６は多数の突起物と空気を排出する多数の穴とを有するのに対して、第５の実施例の掻集捕集面８４は多数の突起物のみを有することである。その他の構成及び作用は、第４の実施例と同じである。耳垢捕集管を覆う移動管８６は、掻集先端部８２に向かって端部付近に穴９０を有する。耳垢捕集管８０及び耳垢捕集管を覆う移動管８６の５−５線断面の形状は、図示しないが任意の形状、例えば円形状もしくは楕円形状であっても良いしまたは多角形状であっても良い。
【００３７】
図７（Ｅ）で示すように、捕集管を覆う移動管８６が掻集先端部８２を覆う位置まで移動する操作を実行すれば外部の空気は矢印で示すように穴９０を介して掻集捕集面８４の付近を通って吸入路８９の中へ流れる。掻集捕集面８４に乗った耳垢は、多数の突起物の各々とそれらも間の空気で構成される複合表面及び穴９０を介して掻集捕集面８４の付近を通って吸入路８９の中へ流れる吸入空気によって吸い上げられることによって剥離し易くなる。穴９０の大きさは、例えば吸入路８８と同じくらいであってもよいしあるいは吸入空気の流速に応じて適切に設定する。言い換えれば、穴９０の大きさは大きすぎると穴９０を通って掻集捕集面８４の付近を通過する空気の流れを生じない。
【００３８】
図８は、本発明の第１の実施例の人体生理保守装置のうち耳垢捕集管の第６の実施例を説明する図である。本発明の耳垢捕集管の第６の実施例は、掻集型の耳垢捕集の機能を実行する。図８（Ａ）は、第６の実施例の耳垢捕集管の斜視図である。図８（Ｂ）は、第６の実施例の耳垢捕集管の正面図である。図８（Ｃ）は、第６の実施例の耳垢捕集管の平面図である。図８（Ｄ）は、第６の実施例の耳垢捕集管の底面図である。
【００３９】
図８（Ａ）乃至（D）に示すように、第６の実施例の掻集型耳垢捕集管は、掻集先端部１０２、アーム１０１、耳垢捕集管１００、耳垢捕集管を覆う移動管１０４、掻集捕集面１１０、そして吸入路１１２等で構成する。掻集型耳垢捕集管の第５の実施例と第６の実施例との違いは、掻集型耳垢捕集管の第５の実施例の耳垢捕集管を覆う移動管８６は端部付近に穴９０のみを有するのに対して、掻集型耳垢捕集管の第６の実施例の耳垢捕集管を覆う移動管１０４は端部付近に穴１０８の他に掻集捕集面１１０を沿って耳垢を掬い上げ採るための掬上弾性板１０６を有することである。
【００４０】
図９は、本発明の第１の実施例の人体生理保守装置のうち掻集型耳垢捕集管の第６の実施例の操作を説明する断面図である。図９（Ａ）は、第６の実施例の掻集型耳垢捕集管の耳垢捕集管を覆う移動管の操作を実行する前の状態を示す断面図である。図９（Ｂ）は、第６の実施例の掻集型耳垢捕集管の耳垢捕集管を覆う移動管の操作を実行したときの掬上の第１の状態を示す断面図である。図９（Ｃ）は、第６の実施例の掻集型耳垢捕集管の耳垢捕集管を覆う移動管の操作を実行したときの掬上の第２の状態を示す断面図である。
【００４１】
図９（Ａ）に示すように、耳垢の塊１１３は掻集捕集面１１０に付着している。この状態で、耳垢捕集管１００を覆う移動管１０４を掻集先端部１０２に向かって利用者の手もしくは駆動装置（図示せず）を使用して移動する。耳垢捕集管１００を覆う移動管１０４が掻集先端部１０２を覆う位置まで移動する操作を実行すれば外部の空気は穴１０８を介して掻集捕集面１１０の付近を通って吸入路１１２の中へ流れる。穴１０８の大きさは、例えば吸入路１１２の口径とほぼ同じかもしくは吸入空気の流速に応じて適切に設定する。言い換えれば、穴１０８の大きさは大きすぎると穴１０８を通って掻集捕集面１１０の付近を通過する空気の流れを生じない。耳垢捕集管１００及び移動管１０４の６−６線断面の形状は、図示しないが任意の形状、例えば円形状もしくは楕円形状であっても良いしまたは多角形状であっても良い。
【００４２】
次に、図９（Ｂ）に示すように、移動管１０４を掻集先端部１０２に向かって移動することによって、掬上弾性板１０６の先端１１４は耳垢の塊１１３が付着している掻集捕集面１１０に突き当たる。掻集捕集面１１０に乗った耳垢は、多数の突起物の各々とそれらの間の空気で構成される複合表面及び穴１０８を介して掻集捕集面１１０の付近を通って吸入路１１２の中へ流れる吸入空気によって吸い上げられることによって剥離し易くなる。これを掬上の第１の状態とする。
【００４３】
さらに、耳垢捕集管を覆う移動管１０４を掻集先端部１０２に向かって利用者の手もしくは駆動装置（図示せず）を使用して移動する。そのとき、図９（Ｃ）に示すように、掬上弾性板１０６の先端１１４は耳垢の塊１１３が付着している掻集捕集面１１０を掬上げることによって耳垢の塊１１３は掻集捕集面１１０から剥離する。これを掬上の第２の状態とする。掬上の第１の状態もしくは掬上の第１及び２の状態を経て剥離した耳垢の塊１１３は、吸入路１１２より吸入され、中空の連結管１６の中を移動し、捕集装置２０の内部に収集される。その後、耳垢捕集管を覆う移動管１０４を掻集先端部１０２から遠ざかるように利用者の手によって移動すると、掬上弾性板１０６は付け根τを支点として弾性力によって耳垢捕集管を覆う移動管１０４と平行な方向に復元する。さらに、耳垢捕集管を覆う移動管１０４を掻集先端部１０２から遠ざかるように利用者の手もしくは駆動装置（図示せず）を使用して移動して、図９（Ａ）の状態に戻す。再び耳掻操作を実行するときは、図９（Ａ）の状態から掬上の第１の状態及び第２の状態を実行する。
【００４４】
図１０は、本発明の第１の実施例の人体生理保守装置のうち掻集型耳垢捕集管の第５及び６の実施例の耳垢捕集管の先端部の捕集面の反対側から見た面の構造を示す。図１０（Ａ）は、掻集型耳垢捕集管の先端部の形状が三角形の角を丸めた形を示す。図１０（Ｂ）は、掻集型耳垢捕集管の先端部の形状が円形を示す。
【００４５】
図１０（Ａ）及び（B）に示すように、本実施例は、掻集型耳垢捕集管の掻集先端部１０２の捕集面の側から捕集面の反対側へ貫通する多数の穴１２０を有する。貫通する多数の穴１２０は、吸入路が空気を吸入することによって掻集先端部１０２の捕集面の反対側から捕集面の側へ空気を通過させる。このような空気の流れによって、捕集面に付着した耳垢の塊を剥離し易くする。
【００４６】
図１１は、本発明の第１の実施例の人体生理保守装置のうち耳垢捕集管の第７の実施例を説明する断面図である。本発明の耳垢捕集管の第７の実施例は、掻集型の耳垢捕集の機能を実行する。図１１（Ａ）は、第７の実施例の耳垢捕集管の捕集管を覆う移動管の操作を実行する前の状態を示す断面図である。図１１（Ｂ）は、第７の実施例の耳垢捕集管の捕集管を覆う移動管の操作を実行したときの掬上の第１の状態を示す断面図である。図１１（Ｃ）は、第７の実施例の耳垢捕集管の捕集管を覆う移動管の操作を実行したときの掬上の第２の状態を示す断面図である。
【００４７】
図１１（Ａ）乃至（Ｃ）に示すように、掻集型耳垢捕集管の第６の実施例と第７の実施例との違いは、第６の実施例が掻集捕集面１１０に多数の突起物を有しているが、第７の実施例は捕集面に突起物を有していないことである。その他の構成及び作用は、第6の実施例と同じである。
【００４８】
図１２は、本発明の第１の実施例の人体生理保守装置の押下スイッチの構成を説明する図である。図１２（Ａ）は、押下しない状態の押下スイッチの断面図である。図１２（Ｂ）は、押下した状態の押下スイッチの断面図である。図１２（Ｃ）は、押下スイッチの接点を説明する図である。握り部１４の端部に設けられた押下スイッチ１２は、複数の押下用の板１２０、導体板１２２、接点１２４、導体環１２６、そして絶縁体１２８等で構成する。絶縁体１２８は、耳垢捕集管１３０と導体環１２６とを絶縁する。接点１２４及び導体環１２６はスイッチ回路を構成し、捕集装置２０の制御回路等で構成する電気回路の電源供給を開閉する。板１２０が押下されることにより、接点１２４が導体環１２６と接触しスイッチ回路が閉じる。板１２０が押下されなければ、接点１２４は導体環１２６と非接触でありスイッチ回路は開いたままである。
【００４９】
図１３は、本発明の第１の実施例の人体生理保守装置の捕集管を覆う移動管が移動する距離を制御する装置を説明する断面図を示す。図１３（A）は、捕集管を覆う移動管が第１の位置で止まる状態を説明する断面図である。図１３（B）は、捕集管を覆う移動管が第２の位置で止まる状態を説明する断面図である。図１３（C）は、図１３（A）及び（B）の装置を右（−X）方向の端部から見た状態を説明する部分拡大図である。
【００５０】
図１３（A）乃至（Ｃ）に示すように、捕集管を覆う移動管が移動する距離を制御する装置は、捕集管１５６の外側に固定した固定管１４８と固定管１４８の外側を滑動する滑動管１４０で構成する。滑動する滑動管１４０は、捕集管を覆う移動管６４、８６及び１０４が移動する各距離に対応した各凹部１５７及び１５８を有する。固定した固定管１４８は、滑動する滑動管１４０の移動距離を制限する鍔１４６、滑動する滑動管１４０の各凹部を形成する空間１５０の内部１５０を内壁１６０に沿って滑動する突起物１４４、突起物１４４を固定管１４８に連結する弾性の連結部１４２、そして突起物１４４が内壁１６０に沿って滑動するように突起物１４４が上下に移動できる空間１５２を形成する溝１５４で構成する。滑動する滑動管１４０は、捕集管を覆う移動管６４、８６及び１０４と連結することによって滑動管の移動距離制御の機能を実現する。滑動管１４０が第１の位置で止まる状態は、例えば捕集管を覆う移動管１０４が図９（B）に示す位置で止まる状態であり、滑動管１４０が第２の位置で止まる状態は、例えば捕集管を覆う移動管１０４が図９（C）に示す位置で止まる状態である。例えば捕集管を覆う移動管１０４が図９（A）に示す位置で止まる状態は、滑動する滑動管１４０が鍔１４６で止まることである。ここで、捕集管を覆う移動管が第１の位置で止まる状態と、第２の位置で止まる状態と、そして鍔１４６で止まる状態の３段階の止まる状態を滑動管の移動距離制御に基づいて説明したが、止まる状態は３段階に制限する必要はない。利用者の状況に応じて、捕集管を覆う移動管が止まる位置および数を自由に設定してよい。
【００５１】
図１４は、本発明の人体生理保守装置の捕集装置の構成を説明する図である。図１４（A）は、捕集装置の構成を説明する断面図である。図１４（B）は、捕集装置の構成要素であるフィルタを説明する図である。図１４（C）は、捕集装置の構成要素であるフィルタを支える固定板を説明する図である。図１４（D）は、捕集装置の構成要素であるファン車を説明する図である。図１４（E）は、本発明の人体生理保守装置の捕集装置の他の形態を説明する図である。
【００５２】
図１４（A）に示すように、捕集装置２０は、駆動部１７０、ファン車１７２及び１７４、電源２０６、制御回路１７８、ノブ２２、そしてハウジング１７６等で構成する。ハウジング１７６は、空気を排出する穴１８６と空気を吸入する穴２０２とを設ける。ハウジング１７６は、接続部１８４でキャップ１８と着脱可能に接続する。キャップ１８は、供給路１８０及び吸入路１８２を接続部１８８で連結管１６と接続する。この場合の連結管１６は、空気の吸入路及び供給路を連結管１６の内部に備える。ファン車１７２は、電動モータ等の駆動部１７０の駆動軸２１８に固定する。ファン車１７４は、駆動部１７０の駆動軸２２０に接続する。駆動部１７０を構成する電動モータ等の駆動装置は、１個であってもよいし、ファン車１７２とファン車１７４とにそれぞれ一個の駆動装置を対応させても良い。ファン車１７２が回転することによって矢印１８９で示す空気の流れを吸入路１８２に発生するので、利用者の耳垢は、耳垢捕集管１０で吸引され、連結管１６を通って、固定板２２４で支えられたフィルタ２２０の上に付着する。ファン車１７２及び１７４と駆動部１７０で構成する空気の排出及び吸入機能は、ダイアフラムポンプポンプを用いて実施してもよい。ダイアフラムポンプを利用する場合、吸入路１８２をフィルタ装置を介してダイアフラムポンプの吸入口に接続する。また、供給路１８０をダイアフラムポンプの排出口に接続する。ダイアフラムポンプの吸入口と吸入路１８２との間のフィルタ装置は、耳垢を捕集するための装置である。ハウジング１７６は、駆動部１７０とファン車１７２との間に板２１２と、駆動部１７０とファン車１７４との間に板２１４と、電源２０６とファン車１７４との間に板２１０と、電源２０６と制御回路１７８との間に板２０８とを有する。更に、ハウジング１７６は、フィルタ２００を設置するための穴２０１を有する。ファン車１７４が回転することによって、空気をフィルタ２００で濾過したのち、供給路１８０を通じて送風空気１８１を耳垢捕集管１０へ送る。
【００５３】
図１４（B）に示すように、フィルタ２２０は多数の微小穴を有する。吸入路１８２を通って移送された耳垢は、フィルタ２２０の上に止まる。従って、移送された耳垢がフィルタ２２０を通過して空気を排出する穴１８６から排出されることはない。
【００５４】
図１４（C）に示すように、固定板２２４は駆動軸２１８を回転摩擦なしで通す単一の穴２２６と空気を通過する複数の穴２１６を有する。固定板２２４は、フィルタ２２０を支持する。
【００５５】
図１４（D）に示すように、ファン車１７２及び１７４は、車２３０と、複数のファン２２８と、駆動軸２１８を固定する軸穴２３２を設けた固定部２３１を有する。ファン車１７２は吸入路１８２を通じて空気を耳垢捕集管１０から吸入し、ファン車１７４は供給路１８０を通じて送風空気を耳垢捕集管１０に供給する。
【００５６】
図１４（E）に示すように、第１の実施例の人体生理保守装置の捕集装置の他の形態はハウジング１７７に空気を供給する構成要素をもたず、空気を吸入する流れを発生させるファン車１７２で構成する。この捕集装置は、空気を排出する多数の穴を捕集管の先端部に設けない掻集型の耳垢捕集の機能を実行するために利用される。キャップ１８は、吸入路１８２を接続部１８８で連結管１６と接続する。この場合の連結管１６は、空気の吸入路のみを連結管１６の内部に備える。
【００５７】
第１５図は、本発明の第１の実施例の人体生理保守装置の捕集装置の他の例としてコンプレッサを利用した捕集装置を説明する図である。コンプレッサ２４８は、例えばスクロールポンプもしくはダイアフラムポンプ等でよいが、圧縮空気を吐出する装置であればどのような圧縮機であってもよい。コンプレッサ２４８が吐出する圧縮空気は、調整弁２４２を介してエゼクタ２５０の一次側へ供給される。エゼクタ２５０の二次側は、所定の容積をもつ調整器２６０から空気を吸入する。流入した空気は高速で噴出する一次流体と混合しディフューザを通って調整器２５２へ排気される。調整器２６０は、耳垢吸上路２５６より吸入する耳垢を移送する空気をフィルタ２５８で濾過した空気を通す管と接続する。ここで、耳垢吸上路とは、耳垢が耳垢捕集管１０の外部から内部の方向に向かって流れる空気と合流し、さらに収集装置に向かって流れる空気の吸気路のことである。また、調整器２６０は、大気２４５を調整弁２４４を通って吸入する管と接続する。調整器２６０は、耳垢吸上路２５６より吸入する空気量と吸入する大気２４５の量との比率を調整する。ディフューザを通って排気された空気の一部は、フィルタ２５３で濾過したのち耳垢捕集管１０の耳垢押上路２５４へ排出され、残りの空気は調整器２５２に接続された調整弁２４０を備えた排出路を通って排出される。ここで、耳垢押上路２５４とは、例えば図３において耳垢捕集管１０の先端部Ｈの内部の管３６が耳垢捕集管１０の外部から内部の方向に空気３０が流れる空間３１に向かって突き出た多数の突起物と送風された空気を排出する多数の穴とを有することによって耳垢を押上る働きをする通路のことである。
【００５８】
図１６は、本発明の人体生理保守装置の制御回路を説明する図である。制御回路２０６は、スイッチ２７２、三端子レギュレータ２７４、抵抗器２７６、可変抵抗器２７８等で構成される。電源２０６の正極に接続されたスイッチ２７２は、閉じることによって三端子レギュレータ２７４に入力電圧が印加される。可変出力型の三端子レギュレータ２７４は、入力端子Ｖｉｎの入力電圧を調整端子ＡＤｊに接続した可変抵抗器２７８を変化させることによって出力端子Ｖｏｕｔに接続した電動モータ等の駆動部１７０へ印加する電圧値を変化させる。可変抵抗器２７８は、ノブ２２と連動している。従って、ノブ２２を調整することによって駆動部１７０へ印加する電圧値を変化させ、空気を吸入する速さ及び空気を供給する速さを調整することが出来る。駆動部１７０を一つ以上の電動モータが構成する場合、一つの電動モータに一つの制御回路を各々対応させてノブ２２を２連の可変抵抗器としても良い。あるいは複数の電動モータに一つの制御回路を対応させても良い。スイッチ２７２は、ノブ２２と連動させても良いし、ノブ２２とは別に設けても良い。
【００５９】
図１７は、本発明の人体生理保守装置の第２乃至４の実施例を示す。図１７（A）は、本発明の人体生理保守装置の第２の実施例を説明する図である。図１７（B）は、本発明の人体生理保守装置の第２の実施例を説明する断面図である。本発明の第２の実施例の人体生理保守装置は、人体が生理的に必要とする栄養物を流動物として補給するするための攪拌機能を提供する。図１７（C）は、本発明の人体生理保守装置の第３の実施例を説明する図である。図１７（D）は、本発明の人体生理保守装置の第３の実施例を説明する断面図である。本発明の第３の実施例の人体生理保守装置は、人体が生理的に必要とする髭剃り機能を提供する。図１７（E）は、本発明の人体生理保守装置の第４の実施例を説明する図である。図１７（F）は、本発明の人体生理保守装置の第４の実施例を説明する断面図である。本発明の第４の実施例の人体生理保守装置は、人体が生理的に必要とする鼻毛切り機能を提供する。
【００６０】
図１７（A）及び（B）に示すように、本発明の人体生理保守装置の第２の実施例の攪拌ヘッドは、キャップ２９０、回転軸２９２、攪拌棒２９６、そして攪拌棒２９６を固定する固定部２９４等で構成する。本発明の人体生理保守装置の第２の実施例の攪拌ヘッドは、利用者の生理的欲求によってココア、抹茶、その他の攪拌操作を伴なう飲料を補給するときに使用する。キャップ２９０は、捕集装置２０のキャップ１８に相当するものであり捕集装置２０と着脱可能に接続する。回転軸２９２は、捕集装置２０の駆動部１７０の駆動軸２２０と接続することによって回転する。回転軸２９２が回転することによって回転軸２９２に接続された固定部２９４が回転し、固定部２９４に固定接続した攪拌棒２９６が回転する。攪拌棒２９６をココア、抹茶等の攪拌操作を必要とする飲料に差し込んで回転させることによって美しい泡立ちの見事な飲料物が出来る。従って、本発明の攪拌ヘッドを使用することによって、従来より実行されていた人手による回転作業を繰り返して行う局所的な筋肉疲労を発生させることなく、利用者の生理的欲求を満たし栄養物を効率的に補給し健康を維持することが可能となり、利用者の生理を容易に保守できる。攪拌棒２９６は、竹材、ステンレス等の金属、プラスチック材、その他どのような材料でもよい。また、攪拌棒２９６の太さ及び長さは利用者の好みに従ってよい。各々の攪拌棒２９６の先端は、図示するように連結しない。攪拌棒２９６が回転する径は、攪拌棒２９６の材質及び長さ等によって異なるため一概に言えないが太さがやや細い方が回転したときよく広がり攪拌効率が良い。攪拌棒２９６が回転する速さは、捕集装置２０が備えるノブ２２を調整することによって制御できる。従って、飲料物の攪拌状態及び泡立ち状態等をノブ２２を調整することによって容易に制御できる。
【００６１】
図１７（C）および（D）に示すように、本発明の人体生理保守装置の第３の実施例は、髭剃りのキャップ２９８と、多くの穴を有する曲面状の板３００と、髭剃り刃３０２等で構成する。曲面状の板３００が有する各穴は、利用者の顔面に生えている髭の各一本に対応する。髭剃り刃３０２を固定する回転軸３０４は、捕集装置２０の駆動部１７０の駆動軸２２０と接続することによって回転する。曲面状の板３００を利用者の顔面の髭に当て髭を曲面状の板３００が有する各穴の中へ入れることによって回転する髭剃り刃３０２が髭を切る。髭剃り刃３０２で切った髭は人体生理保守装置によって吸引移送されハウジング１７６の中のフィルタ２２０の上に捕集される。
【００６２】
図１７（E）及び（F）に示すように、本発明の人体生理保守装置の第４の実施例は外鼻孔から挿入し鼻前庭の鼻毛を固定する鼻毛固定部３１０を有する挿入部３０８と、キャップ３０６と、カッタ３１２等で構成する。カッタ３１２と接続する回転軸３１４は、捕集装置２０の駆動部１７０の駆動軸２１８と接続することによって回転する。鼻毛固定部３１０は、図示するように切れ込みを有する。切れ込みに鼻毛が引っかかり回転状態のカッタ３１２が鼻毛を切る。鼻毛固定部３１０を鼻の穴の中へ入れ、鼻毛固定部３１０の切れ込みを鼻毛に食い込ませることによって回転状態のカッタ３１２が鼻毛を切る。カッタ３１２で切った鼻毛は人体生理保守装置によって吸引移送されハウジング１７６の中のフィルタ２２０の上に捕集される。
【００６３】
図１８は、本発明の人体生理保守装置の第２の実施例の動作を示す図である。攪拌棒２９６は、固定接続した固定部２９４が回転することによって抹茶等の飲料物３２１を攪拌する。攪拌棒２９６が回転する速さが遅いとき、攪拌棒２９６は同図に点線で示した状態で回転する。攪拌棒２９６が回転する速さが早いとき、攪拌棒２９６は同図に実線で示した状態で回転する。従って、攪拌棒２９６が回転する速さを変化させることによって、攪拌棒２９６が回転する径を変化せせることが出来るので、従来の攪拌する径を変化させることが不可能な攪拌器に比べてより良い攪拌効率を得ることが出来る。攪拌スピードは、ノブ２２を調整することによって変化できるので、飲料物の攪拌状態及び泡立ち状態等は、ノブ２２を調整することによって容易に制御できる。攪拌棒２９６として竹材を用いた抹茶の攪拌の本実施例によれば、攪拌棒２９６の長さが１１０ミリメートル、直径が約１ミリメートル、そして回転数が毎分６，８５０回転（ｒ．ｐ．ｍ）のとき攪拌棒２９６の先端の回転径がよく広がり抹茶の泡立ちと攪拌効果が良好であった。
【００６４】
図１９は、本発明の第１の実施例の人体生理保守装置の使用状態を示す。図１９（A）は、吸引型の耳垢捕集操作を示す。図１９（B）は、掻集型の耳垢捕集操作を示す。耳垢を生じる皮脂腺と耳垢腺は外耳道の外側3分の1の皮膚に存在する。それより内側の外耳道皮膚にはこれらの腺がないので、耳垢は外耳道の奥には一般に少ない。従って、耳介付近の外耳３３６をきれいにすることが必要である。
【００６５】
図１９（A）に示すように、利用者は吸引型の耳垢捕集管３３２を耳３３０の耳介付近の外耳３３６の壁面に吸引口をあてることによって耳垢をこぼすことなく捕集できる。
【００６６】
図１９（B）に示すように、利用者は耳３３０の耳介付近の外耳３３６の壁面の耳垢を掻集型の耳垢捕集管３３４の先端部で掻き集めることによって耳垢をこぼすことなく捕集できる。
【００６７】
【発明の効果】
本発明は、以上説明したように構成されているので、以下に記載されるような効果を奏する。
【００６８】
本発明の人体生理保守装置は、空気送風管の多数の穴から排出する空気を多数の突起物に付着した耳垢に向かって排出し耳垢を突起物から剥離するように押し上げ耳垢捕集管の外部から内部の方向に向かって流れる空気と合流させて剥離した耳垢を収集装置に向かって移送することができる。
【００６９】
本発明の人体生理保守装置は、移動管を掻集先端部を覆う位置まで移動する操作を実行することによって、外部の空気を移動管に設けた穴を介して掻集捕集面の付近を通って吸入路の中へ流し、掻集捕集面に付着した耳垢を送風路から供給される空気によって押し上げ、穴から吸入路に向かって流れる吸入空気によって耳垢を吸い上げ、掻集捕集面から剥離することができる。
【００７０】
本発明の人体生理保守装置は、移動管を掻集先端部に向かって移動することによって外部の空気を移動管に設けた穴を介して掻集捕集面の付近を通って吸入路の中へ流し、移動管を掻集先端部に向かってさらに移動することによって掬上弾性板の先端は耳垢の塊が付着している掻集捕集面に突き当たり、移動管を掻集先端部に向かってさらに移動することによって耳垢を掻集捕集面から剥離させ、剥離した耳垢の塊を、吸入路より吸入されることができる。
【図面の簡単な説明】
【図１】本発明の人体生理保守装置の第１の実施例を示す図である。
【図２】本発明の第１の実施例の人体生理保守装置のうち耳垢捕集管の第１の実施例の構造を示す断面図である。
【図３】本発明の第１の実施例の人体生理保守装置のうち耳垢捕集管の第２の実施例を説明する断面図である。
【図４】第１の実施例の人体生理保守装置のうち耳垢捕集管の第２の実施例の先端部の内部の管の多数の突起物と多数の穴の構成と作用を説明する図である。
【図５】本発明の第１の実施例の人体生理保守装置のうち耳垢捕集管の第３の実施例を説明する図である。
【図６】本発明の第１の実施例の人体生理保守装置のうち耳垢捕集管の第４の実施例を説明する断面図である。
【図７】本発明の第１の実施例の人体生理保守装置のうち耳垢捕集管の第５の実施例を説明する断面図である。
【図８】本発明の第１の実施例の人体生理保守装置のうち耳垢捕集管の第６の実施例を説明する図である。
【図９】本発明の第１の実施例の人体生理保守装置のうち耳垢捕集管の第６の実施例の操作を説明する断面図である。
【図１０】本発明の第１の実施例の人体生理保守装置のうち耳垢捕集管の第５及び６の実施例の耳垢捕集管の先端部の捕集面の反対側から見た面の構造を示す。
【図１１】本発明の第１の実施例の人体生理保守装置のうち耳垢捕集管の第７の実施例を説明する断面図である。
【図１２】本発明の第１の実施例の人体生理保守装置の押下スイッチの構成を説明する図である。
【図１３】本発明の第１の実施例の人体生理保守装置の捕集管を覆う移動管が移動する距離を制御する装置を説明する断面図を示す。
【図１４】本発明の人体生理保守装置の捕集装置の構成を説明する図である。
【図１５】本発明の第１の実施例の人体生理保守装置の捕集装置の他の例としてコンプレッサを利用した捕集装置を説明する図である。
【図１６】本発明の人体生理保守装置の制御回路を説明する図である。
【図１７】本発明の人体生理保守装置の第２乃至４の実施例を示す。
【図１８】本発明の人体生理保守装置の第２の実施例の動作を示す図である。
【図１９】本発明の第１の実施例の人体生理保守装置の使用状態を示す。
【符号の説明】
Ｈ        先端部
１０      耳垢捕集管
１１      空気送風管
４４      突起物
５０、６０、８０、１００      耳垢捕集管
５２、６２、８２、１０２      掻集先端部
５４、６６、８４、１１０      掻集捕集面
５６、６８、８８        吸入口
６４、８６、１０４      移動管
７４、９０、１０８      穴
１０１    アーム
１０６    掬上弾性板
１１２    吸入路
【図１】
0004304646.tif 000002
【図２】
0004304646.tif 000003
【図３】
0004304646.tif 000004
【図４】
0004304646.tif 000005
【図５】
0004304646.tif 000006
【図６】
0004304646.tif 000007
【図７】
0004304646.tif 000008
【図８】
0004304646.tif 000009
【図９】
0004304646.tif 000010
【図１０】
0004304646.tif 000011
【図１１】
0004304646.tif 000012
【図１２】
0004304646.tif 000013
【図１３】
0004304646.tif 000014
【図１４】
0004304646.tif 000015
【図１５】
0004304646.tif 000016
【図１６】
0004304646.tif 000017
【図１７】
0004304646.tif 000018
【図１８】
0004304646.tif 000019
【図１９】
0004304646.tif 000020